(57)【要約】  【課題】本発明は、紫外線ランプを使用せず、触媒が常に励起状態となり臭気成分を分解脱臭することを可能とした脱臭装置、およびそれを利用した冷蔵庫において、室内の脱臭を効果的に行うとともに、冷気の循環を阻害することなく、冷蔵庫内の臭気成分を分解脱臭することを可能とした、専用の制御装置や電力を必要としない、組立性の向上および省エネルギーを図った脱臭装置を備えた冷蔵庫の提供する。  【解決手段】脱臭装置１８は、微量の放射線を発生する天然鉱石を合成樹脂に練りこんだ穴の開いた形状のイオンプレート１９と、酸化チタンの粉末を塗布または含浸させた特殊紙からなるハニカム状フィルタ２０とを組み合わせたものであり、脱臭装置１８は、冷蔵室３および野菜室５内を循環した冷気が通過する戻り通風路１７内の上方のカバー１６に配置している。【選択図】図２
2005049067.tif 000002
【特許請求の範囲】
【請求項１】
臭気を除去する脱臭装置において、放射線を発生する鉱石を含有するプレートと、金属酸化物を含有するフィルタとを組み合わせてなることを特徴とする脱臭装置。
【請求項２】
冷気の循環経路内に、庫内の脱臭を行うための脱臭装置を備えてなる冷蔵庫において、
放射線を発生する鉱石を含有するプレートと、金属酸化物を含有するフィルタとを組み合わせた脱臭装置を配設してなることを特徴とする冷蔵庫。
【請求項３】
前記フィルタは、酸化チタンの粉末をハニカム状に形成した特殊紙に塗布または含浸させてなることを特徴とする請求項１または請求項２記載の脱臭装置および冷蔵庫。
【発明の詳細な説明】
【技術分野】
【０００１】
本発明は、脱臭装置およびそれを利用した冷蔵庫に係わり、より詳細には、組立性の向上および省エネルギーを図った脱臭装置の構造に関する。
【背景技術】
【０００２】
図１は冷蔵庫における冷蔵室を示す要部の側断面図である。
【０００３】
冷蔵庫本体１の前面には開閉自在の扉２を備え、冷蔵室３の内部には棚４からなる収納場所が設けられている。冷蔵室３の後方には蒸発器１２と送風機１３を備え、送風機１３から送出された冷気を前方上部から庫内に吹出すとともに、冷蔵室３内の各棚４毎に吸込口１５を設けて庫内の後方から戻り通風路１７へ冷気を吸引するようにし、また、冷蔵室３から野菜室５を経て循環した冷気は戻り通風路１７をへて蒸発器１２下方へ冷気を戻すようにしている。戻り通路１７には脱臭装置が備えられており、庫内の脱臭を行っている。
【０００４】
また、冷蔵室３の下方には引出自在に構成される冷凍室６が仕切壁により仕切られて配置されるが、冷凍室６の後方には蒸発器７と送風機８を備え、送風機８によって冷気は通風路９内を送風され、冷凍室６上部あるいは後部に備えた吹出口９ａから吹出される。
【０００５】
ところで、酸化チタンに代表される触媒反応は非常に強い酸化力を持つため、比較的弱い紫外線でも悪臭などの有害物を分解することができる。そこで、このような触媒を用いた脱臭装置が冷蔵庫にも使用されており、臭気成分を吸着する吸着剤の表面に触媒層を形成し、この触媒層を励起させる光源より光を照射して触媒を励起させ、吸着剤に吸着された臭気成分を分解して脱臭効果を長期間保持させるようにしたものである（例えば、特許文献１参照）。
【０００６】
しかしながら、触媒を励起させる励起源として紫外線ランプが使用されており、紫外線ランプは、プラスチックなどの変色、劣化を引き起こすことから、紫外線が装置外に洩れないように装置前後に複数の遮光板を立設するなど、かなり複雑な構造となっていた。このため、作業性の難しさや部品点数の増加によるコストアップになる恐れのある問題点を有していた。そこで、紫外線ランプを使用しないで、触媒を励起させる励起源が待たれていた。
【特許文献１】特開平１−１８９３２２号公報（第２−５頁、図８）
【発明の開示】
【発明が解決しようとする課題】
【０００７】
以上に説明した問題点に鑑み、本発明は、紫外線ランプを使用せず、触媒が常に励起状態となり臭気成分を分解脱臭することを可能とした脱臭装置、およびそれを利用した冷蔵庫において、室内の脱臭を効果的に行うとともに、冷気の循環を阻害することなく、冷蔵庫内の臭気成分を分解脱臭することを可能とした、専用の制御装置や電力を必要としない、組立性の向上および省エネルギーを図った脱臭装置を備えた冷蔵庫の提供を目的とする。
【課題を解決するための手段】
【０００８】
本発明は上述の課題を解決するため、臭気を除去する脱臭装置において、放射線を発生する鉱石を含有するプレートと、金属酸化物を含有するフィルタとを組み合わせた構成となっている。
【０００９】
また、冷気の循環経路内に、庫内の脱臭を行うための脱臭装置を備えてなる冷蔵庫において、放射線を発生する鉱石を含有するプレートと、金属酸化物を含有するフィルタとを組み合わせた脱臭装置を配設した構成となっている。
【００１０】
また、前記フィルタは、酸化チタンの粉末をハニカム状に形成した特殊紙に塗布または含浸させた構成となっている。
【発明の効果】
【００１１】
本発明による脱臭装置によれば、紫外線ランプを使用せず、放射線を発生する鉱石を使用することにより、鉱石から放射される放射線が触媒を常に励起状態とし、臭気成分を分解脱臭することを可能とした脱臭装置となり、また、冷蔵庫においては、室内の脱臭を効果的に行うとともに、冷気の循環を阻害することなく、冷蔵庫内の臭気成分を分解脱臭することを可能とした、専用の制御装置や電力を必要としない、組立性の向上および省エネルギーを図った脱臭装置を備えた冷蔵庫となる。
【発明を実施するための最良の形態】
【００１２】
以下、本発明の実施の形態を、添付図面に基づいた実施例として詳細に説明する。
【００１３】
図１は本発明の冷蔵庫における要部側断面図であり、図２は本発明による脱臭装置の配置を示す要部拡大斜視図であり、図３は本発明の脱臭装置を構成するハニカム状フィルタの上面図であり、図４は本発明の脱臭装置を構成する放射線を発生する鉱石を練りこんだイオンプレートの上面図であり、図５は本発明による触媒の励起源を説明する要部拡大断面図である。
【実施例１】
【００１４】
図１は本発明の冷蔵庫における冷蔵室の要部側断面図を示す。図に基づいて説明する。前面が開放した断熱箱体からなる冷蔵庫本体１の前面には開閉自在の扉２を備え、冷蔵室３の内部には棚４からなる収納場所が設けられている。
【００１５】
冷蔵室３を上部に配置し、下方には引出自在に構成される野菜室５あるいは冷凍室６などが配置されるが、冷凍室６の後方には蒸発器７と送風機８とを備え、送風機８によって冷気はダクトからなる通風路９内を送風され、冷凍室６上部あるいは後部に備えた冷気吹出口９ａから吹出される。
【００１６】
冷蔵室３の後方の断熱箱体１内部の上部の背面側に冷気を生成する第二の蒸発器１２を設け、その上部には生成された冷気を送出する第二の送風機１３を設け、断熱箱体１の背面側に上下方向に設けられたダクトからなる通風路１４を介して、第二の送風機１３から送出された冷気を前方上部の吹出口１４ａから庫内に吹出すとともに、各棚４毎に庫内の後方の吸込口１５を設けたカバー１６から冷気を戻り通風路１７に吸引して循環する。また、冷蔵室３から野菜室５を経て循環した冷気は、戻り通風路１７をへて第二の蒸発器１２下方へ冷気を戻すようにしている。
【００１７】
図２は本発明による脱臭装置の配置場所を示すカバー１６の裏面から見た要部拡大斜視図であり、図で示すように、本発明による脱臭装置１８は、微量の放射線を発生する天然鉱石からなるイオンプレート１９と、酸化チタンを含有するハニカム状フィルタ２０とを組み合わせたものであり、冷蔵室３および野菜室５内を循環した冷気が通過する戻り通風路１７内の上方のカバー１６に配置しており、第二の蒸発器１２からの冷気は冷蔵室３および野菜室５を循環した後、戻り通風路１７を通り、脱臭装置１８を通過し、第二の蒸発器１２の下部に戻るようにしている。
【００１８】
図３で示すように、脱臭装置１８のハニカム状フィルタ２０は、酸化チタンの粉末を塗布または含浸させた特殊紙からなるハニカム体２０ａで、多量の臭気を速やかに吸着する働きをする。酸化チタンはバンドギャップ以上のエネルギーが照射されると、電子と正孔の二つのキャリアが生じる。生じた電子と正孔が、接触表面に存在する酸素や水と反応してヒドロラジカル（・ＯＨ）やスーパーオキサイドアニオン（Ｏ2 ￣) を生成し、これらが様々な有害有機化合物と反応して分解する。
【００１９】
図４で示すように、微量の放射線ｄを発生する天然鉱石からなるイオンプレート１９は、合成樹脂にラジウム、酸化トリウムのような放射性物質が含まれる希土類天然鉱石を練りこんでプレート状にしたもので、イオンプレート１９に穴１９ａ、１９ｂの開いた形状（もしくはメッシュ構造等）にすることで、通風抵抗を小さくでき、且つ、ハニカム状フィルタ２０全体に、均等に放射線ｄを分布させることができる。そのため、臭気がハニカム状フィルタ２０の酸化チタンと接触、分解し易くなり効率よく脱臭することができる。
【００２０】
図５の本発明による触媒の励起源を説明する要部拡大断面図（Ａ）および脱臭機構を模式化した図（Ｂ）で示すように、脱臭装置１８は、微量の放射線ｄを発生する天然鉱石を練りこんだイオンプレート１９と、酸化チタンを塗布または含浸させたハニカム状フィルタ２０とを組み合わせたものであり、通過する臭気物質ａ、エチレンガスｂおよび浮遊菌ｃを吸着し、微量の放射線ｄを発生する天然鉱石を練りこんだイオンプレート１９の放射線ｄがハニカム状フィルタ２０の酸化チタンの表面を活性化してスーパーオキシドアニオンとヒドロキシラジカルを形成し、これが臭気物質ａと結合して、臭気物質ａを無臭物質ｅに換える。
【００２１】
微量の放射線ｄを発生する天然鉱石を練りこんだイオンプレート１９からの放射線ｄは、ハニカム状フィルタ２０の酸化チタンを励起させ、吸着された臭気物質ａ、エチレンガスｂおよび浮遊菌ｃを分解させ、無臭物質ｅにさせる役目を持ち、両者で脱臭装置１８が構成される。本発明は、冷蔵庫の冷却性能を低下させることなく、高い容積化不利を与えることなく、また、低コストで高い脱臭性能化することを可能とする。
【００２２】
また、ハニカム状フィルタ２０は、酸化チタンの代わりに、酸化タングステン、酸化亜鉛などの金属酸化物の粉末を塗布または含浸させた特殊紙からなるハニカム体２０ａを用いてもよい。
【００２３】
また、微量の放射線ｄを発生する天然鉱石を練りこんだイオンプレート１９の代わりに、微量の放射線ｄを発生する天然鉱石を塗布した紙、金属板などを用いてもよい。
【００２４】
なお、本発明による脱臭装置１８の配置場所を、上記実施例では戻り通風路１７内の上方のカバー１６としたが、第二の蒸発器１２の下部、または、通風路１４内もしくは吹出口１４ａなどに配置するようにしてもよい（図示せず）。
【００２５】
更に、本実施例では、冷蔵庫の脱臭装置１８としたが、他の製品の脱臭装置として用いることも可能である。
【００２６】
上述の構成において、天然放射線含有鉱石の粉末を格子状の穴の開いた板状に形成し、酸化チタンを坦持したハニカム状フィルターと組み合わせることで、通風抵抗が少なく、且つ、放射線ｄを均等にハニカム状フィルターに分布させることができる。そのため、冷蔵庫の戻り通風路１７内に取り付けても冷却性能を下げることなく、臭気がハニカム状フィルターと接触、分解し易くなり効率よく脱臭することができる。また、専用の制御装置や電力を必要とせず、無駄なエネルギーを消費することもなく、酸化チタンが常に励起状態となり冷蔵庫内の臭気成分を分解脱臭することが可能となり、作業性の難しさや部品点数の増加によるコストアップになる恐れのある問題点をなくすことができる。
【図面の簡単な説明】
【００２７】
【図１】本発明の冷蔵庫の一実施例における要部側断面図である。
【図２】本発明による脱臭装置の配置を示す要部拡大斜視図である。
【図３】本発明の脱臭装置を構成するハニカム状フィルタの上面図（Ａ）であり、ハニカム状を表す要部拡大上面図（Ｂ）である。
【図４】本発明の脱臭装置を構成する放射線を発生する鉱石を練りこんだイオンプレートの上面図である。
【図５】本発明による触媒の励起源を説明する要部拡大断面図（Ａ）および脱臭機構を模式化した図（Ｂ）である。
【符号の説明】
【００２８】
１  冷蔵庫本体（断熱箱体）
２  扉
３  冷蔵室
４  棚
５  野菜室
６  冷凍室
７  蒸発器
８  送風機
９  通風路
９ａ  吹出口
12  蒸発器
13  送風機
14  通風路
14ａ  吹出口
15  吸込口
16  カバー
17  戻り通風路
18  脱臭装置
19  イオンプレート
20  ハニカム状フィルタ
【図１】
2005049067.tif 000003
【図２】
2005049067.tif 000004
【図３】
2005049067.tif 000005
【図４】
2005049067.tif 000006
【図５】
2005049067.tif 000007